(57)【要約】【課題】クッキングスタンドを扁平状に収納することができなかった従来の問題点を改善する、折り畳むことが可能なクッキングスタンドを提供する。【解決手段】折り畳むことが可能なクッキングスタンドは、複数のヒンジ構造２０、第１の接合板１２、第２の接合板１４、広面板３０及び狭面板４０を備える。第１の接合板１２と第２の接合板１４とは、面積が略等しい上、ヒンジ構造２０を介して互いに接続され、展開位置及び折畳み位置で動作する。広面板３０は、主板３２及び副板３４を含む。主板３２の面積は、第１の接合板１２又は第２の接合板１４の面積に略等しく、ヒンジ構造２０を介して主板３２の一側と第１の接合板１２とが接続される。副板３４は、主板３２に対して折り曲げられ、第１の接合板１２と同一辺に位置せず、主板３２と副板３４とにより折り曲げ角度が形成される。【選択図】図６
2018066544.tif 000002
【特許請求の範囲】
【請求項１】
複数のヒンジ構造２０、第１の接合板１２、第２の接合板１４、広面板３０及び狭面板４０を備えた、折り畳むことが可能なクッキングスタンドであって、
前記第１の接合板１２と前記第２の接合板１４とは、面積が略等しい上、前記ヒンジ構造２０を介して互いに接続され、展開位置及び折畳み位置で動作し、
前記広面板３０は、主板３２及び副板３４を含み、前記主板３２の面積は、前記第１の接合板１２又は前記第２の接合板１４の面積に略等しく、前記ヒンジ構造２０を介して前記主板３２の一側と前記第１の接合板１２とが接続され、前記副板３４は、前記主板３２に対して折り曲げられ、前記第１の接合板１２と同一辺に位置せず、前記主板３２と前記副板３４とにより折り曲げ角度３６が形成され、
前記狭面板４０は、前記ヒンジ構造２０を介して前記第２の接合板１４及び前記副板３４に両側がそれぞれ接続され、前記狭面板４０と前記副板３４との面積総和が、前記第１の接合板１２又は前記第２の接合板１４の面積に略等しく、
展開位置のとき、前記第１の接合板１２と前記第２の接合板１４とにより展開角度１１が形成され、前記展開角度１１と前記折り曲げ角度３６とは、略等しいとともに、互いに対角関係にあり、
折り畳み位置にする際、前記狭面板４０と前記主板３２とを相向かうように倒すと、前記第１の接合板１２と前記第２の接合板１４とが合わされ、前記主板３２及び前記副板３４の折り曲げ部位に、前記第１の接合板１２と前記第２の接合板１４との間の前記ヒンジ構造２０が収納されることを特徴とする、折り畳むことが可能なクッキングスタンド。
【請求項２】
展開したクッキングスタンド１０へ設置し、空中に吊り下げた状態に維持する炭火プレート５０をさらに備えることを特徴とする請求項１に記載の折り畳むことが可能なクッキングスタンド。
【請求項３】
前記第１の接合板１２、前記第２の接合板１４、前記広面板３０及び前記狭面板４０の相対縁部には、複数の支持部２２が設けられ、
前記支持部２２により前記炭火プレート５０が空中に吊り下げられた状態に維持されることを特徴とする請求項２に記載の折り畳むことが可能なクッキングスタンド。
【請求項４】
前記支持部２２は、横面板２４又は可撓板２６であることを特徴とする請求項３に記載の折り畳むことが可能なクッキングスタンド。
【請求項５】
前記第１の接合板１２、前記第２の接合板１４、前記広面板３０及び前記狭面板４０は階段状の金属板であることを特徴とする請求項１に記載の折り畳むことが可能なクッキングスタンド。
【請求項６】
前記第１の接合板１２、前記第２の接合板１４、前記広面板３０及び前記狭面板４０は少なくとも１つの孔を有することを特徴とする請求項１に記載の折り畳むことが可能なクッキングスタンド。
【請求項７】
前記孔は、円孔１６又は長孔１８であることを特徴とする請求項６に記載の折り畳むことが可能なクッキングスタンド。
【請求項８】
前記主板３２には、ハンドルが接続可能なように、２つの枢着部２８が設けられることを特徴とする請求項１に記載の折り畳むことが可能なクッキングスタンド。
【発明の詳細な説明】
【技術分野】
【０００１】
本発明は、炭火の燃焼技術に関し、特に、折り畳むことが可能なクッキングスタンドに関する。
【背景技術】
【０００２】
特許文献１で開示しているクッキングスタンドの構造は、折り畳めない部分と、折り畳むことが可能な部分とに分けられる。
【０００３】
クッキングスタンドの折り畳むことができない部分は、本体が円環片であり、一体化されて折り畳むことができなくなっている。使用している最中は、円環片により木炭の周りを遮るため、強い風が吹いても木炭が燃える炎が消えることを防ぐことができる。しかし使用しないときは、物品上に積層するしかなく、空間を無駄に占有した。
【０００４】
折り畳むことが可能なクッキングスタンドは、多数のヒンジ構造を用いて２枚又は３枚の曲板を一緒に接続し、共同で囲んで角筒のようなクッキングスタンド空間が形成される。曲板は、凸曲面状であるが、互いに干渉して折り畳むことができない。そのため、収納する場合、まず、全てのヒンジ構造を取り外さなければ、各自独立した曲板を積み重ねることができなかった。このように従来のクッキングスタンドは、収納が非常に面倒なだけでなく、組立も煩雑であった。
【０００５】
特許文献２が開示した折り畳むことができるクッキングスタンドは、それぞれ角筒、三角筒などに形成される。
【０００６】
角筒状のクッキングスタンドは、２つの広面板及び４つの狭面板を有し、６つのヒンジ構造により互いに接続されて４辺が形成される。各辺は広面板でもよいし、互いに接続された１対の狭面板でもよい。２対の狭面板を対向するように折り畳むと、２つの広面板が相向かうように倒れ、クッキングスタンドが角筒から扁平状に変化し、容易に収納することができるが、部品が多いという欠点があり、組立の難易度が高かった。
【０００７】
三角筒状のクッキングスタンドは、大型が１つと小型が３つとにより構成されるヒンジ構造を有する。大型のヒンジ構造は、２つの広面板を接続し、小型のヒンジ構造は、２つの狭面板間に接続されるか、広面板と狭面板との間に接続され、等辺三角筒状のクッキングスタンドを構成する。
【０００８】
収納するときは、２つの狭面板を大型のヒンジ構造へ向けて積み重ね、２つの広面板を相向かうように倒すと、クッキングスタンドを三角筒から扁形状に変化させることができる。しかし、ヒンジ構造の体積が異なるため、小型のヒンジ構造を大型のヒンジ構造へ近づけることができず、大型のヒンジ構造を小型のヒンジ構造に近づける場合、クッキングスタンドを扁平状の収納状態にすることはできなかった。
【０００９】
そのため、従来のヒンジ式クッキングスタンドを折り畳む際の欠点を改善する技術が求められていた。
【先行技術文献】
【特許文献】
【００１０】
【特許文献１】米国特許第５６８２８７２号明細書
【特許文献２】米国特許第８０２８６８９号明細書
【発明の概要】
【発明が解決しようとする課題】
【００１１】
本発明の目的は、副板を主板に対して折り曲げてヒンジ構造の収納空間を残すことにより、クッキングスタンドを扁平状に収納することができなかった従来の問題点を改善する、折り畳むことが可能なクッキングスタンドを提供することにある。
【課題を解決するための手段】
【００１２】
上記課題を解決するために、本発明の第１の形態によれば、複数のヒンジ構造２０、第１の接合板１２、第２の接合板１４、広面板３０及び狭面板４０を備えた、折り畳むことが可能なクッキングスタンドであって、前記第１の接合板１２と前記第２の接合板１４とは、面積が略等しい上、前記ヒンジ構造２０を介して互いに接続され、展開位置及び折畳み位置で動作し、前記広面板３０は、主板３２及び副板３４を含み、前記主板３２の面積は、前記第１の接合板１２又は前記第２の接合板１４の面積に略等しく、前記ヒンジ構造２０を介して前記主板３２の一側と前記第１の接合板１２とが接続され、前記副板３４は、前記主板３２に対して折り曲げられ、前記第１の接合板１２と同一辺に位置せず、前記主板３２と前記副板３４とにより折り曲げ角度３６が形成され、前記狭面板４０は、前記ヒンジ構造２０を介して前記第２の接合板１４及び前記副板３４に両側がそれぞれ接続され、前記狭面板４０と前記副板３４との面積総和が、前記第１の接合板１２又は前記第２の接合板１４の面積に略等しく、展開位置のとき、前記第１の接合板１２と前記第２の接合板１４とにより展開角度１１が形成され、前記展開角度１１と前記折り曲げ角度３６とは、略等しいとともに、互いに対角関係にあり、折り畳み位置にする際、前記狭面板４０と前記主板３２とを相向かうように倒すと、前記第１の接合板１２と前記第２の接合板１４とが合わされ、前記主板３２及び前記副板３４の折り曲げ部位に、前記第１の接合板１２と前記第２の接合板１４との間の前記ヒンジ構造２０が収納されることを特徴とする、折り畳むことが可能なクッキングスタンドが提供される。
【００１３】
展開したクッキングスタンド１０へ設置し、空中に吊り下げた状態に維持する炭火プレート５０をさらに備えることが好ましい。
【００１４】
前記第１の接合板１２、前記第２の接合板１４、前記広面板３０及び前記狭面板４０の相対縁部には、複数の支持部２２が設けられ、前記支持部２２により前記炭火プレート５０が空中に吊り下げられた状態に維持されることが好ましい。
【００１５】
前記支持部２２は、横面板２４又は可撓板２６であることが好ましい。
【００１６】
前記第１の接合板１２、前記第２の接合板１４、前記広面板３０及び前記狭面板４０は階段状の金属板であることが好ましい。
【００１７】
前記第１の接合板１２、前記第２の接合板１４、前記広面板３０及び前記狭面板４０は少なくとも１つの孔を有することが好ましい。
【００１８】
前記孔は、円孔１６又は長孔１８であることが好ましい。
【００１９】
前記主板３２には、ハンドルが接続可能なように、２つの枢着部２８が設けられることが好ましい。
【発明の効果】
【００２０】
本発明の折り畳むことが可能なクッキングスタンドは、副板を主板に対して折り曲げてヒンジ構造の収納空間を残すことにより、クッキングスタンドを折り畳んだ際にヒンジ構造の体積が異なり、２つのヒンジ構造を互いに近づけることができなかった従来の問題点を改善することができる。
【図面の簡単な説明】
【００２１】
【図１】図１は、本発明の一実施形態に係る折り畳むことが可能なクッキングスタンドを示す分解斜視図である。
【図２】図２は、本発明の一実施形態に係る折り畳むことが可能なクッキングスタンドを結合して開いたときの状態を示す平面図である。
【図３】図３は、本発明の一実施形態に係る折り畳むことが可能なクッキングスタンドを展開したときの状態を示す斜視図である。
【図４】図４は、図３の線Ａ−Ａに沿った断面斜視図である。
【図５】図５は、図４の上面図である。
【図６】図６は、本発明の一実施形態に係る折り畳むことが可能なクッキングスタンドを折り畳んだときの状態を示す平面図である。
【発明を実施するための形態】
【００２２】
図１及び図２を参照する。図１及び図２に示すように、本発明の一実施形態に係る折り畳むことが可能なクッキングスタンドは、少なくとも第１の接合板１２、第２の接合板１４、複数のヒンジ構造２０、広面板３０及び狭面板４０から構成されてなる。
【００２３】
各ヒンジ構造２０は、２列の短管２１とピン２３との組み合わせを含む。各列の短管２１は、第１の接合板１２及び第２の接合板１４と、広面板３０及び狭面板４０との側辺に形成され、交差した２列の短管２１にピン２３を挿通し、ヒンジ構造２０を構成し、一定の幅で回動可能にする。本実施形態の各短管２１の直径が同じであるため、各ヒンジ構造２０の体積が等しい。
【００２４】
広面板３０は、主板３２と副板３４との２つの部分に分けられる。主板３２は、面積が第１の接合板１２又は第２の接合板１４の面積に略等しく、一側がヒンジ構造２０を介して第１の接合板１２に対応した側辺に連結される。副板３４は、主板３２に対して折り曲げられ、主板３２と副板３４とにより折り曲げ角度３６をなす（図５を参照する）。また、副板３４及び第１の接合板１２は、主板３２の同一辺に位置しない。
【００２５】
狭面板４０は、ヒンジ構造２０を介して第２の接合板１４に一側が接続され、他側が副板３４と接続され、狭面板４０と副板３４との面積総和が、第１の接合板１２又は第２の接合板１４の面積に略等しい。
【００２６】
本実施形態において、各第１の接合板１２、第２の接合板１４、広面板３０及び狭面板４０は階段状の金属板である。例えば、狭面板４０は、長辺４２及び短辺４４を有する。長辺４２と短辺４４とは略平行である。狭面板４０は、２つの斜辺４６を有する。斜辺４６は、長辺４２及び短辺４４の両端にそれぞれ接続される。そのため、クッキングスタンド１０は扇のように広がった形状を呈する。
【００２７】
続いて、第１の接合板１２、第２の接合板１４、広面板３０及び狭面板４０は、２つの円孔１６をそれぞれ有する。円孔１６は、短辺４４に隣接する。また、第２の接合板１４、広面板３０及び狭面板４０は、２つの長孔１８以外に、複数の支持部２２を有する。各支持部２２は、横面板２４（例えば第２の接合板１４及び狭面板４０）又は可撓板２６（例えば広面板３０）でもよい。
【００２８】
図３〜図５を参照する。図３〜図５に示すように、展開位置のとき、第１の接合板１２と第２の接合板１４とにより展開角度１１をなす。クッキングスタンド１０の形状は四辺形の角錐筒に類似し、展開角度１１と折り曲げ角度３６とは対角関係にある。展開角度１１は、９０°±５°であり、折り曲げ角度３６に略等しい。
【００２９】
このときの第２の接合板１４は、広面板３０に対向し、横面板２４と可撓板２６とは対をなす関係にある。また狭面板４０は、横面板２４を介して補助作用を得て、炭火プレート５０を支持し、炭火プレート５０を展開したクッキングスタンド１０へ設置して空中に吊り下げられた状態にする。
【００３０】
また、主板３２には、ハンドル（図示せず）が接続可能なように、２つの枢着部２８が設けられる。
【００３１】
図６を参照する。図６に示すように、折り畳み位置にする際、狭面板４０と主板３２とを相向かうように倒すと、第１の接合板１２と第２の接合板１４とが合わされ、主板３２及び副板３４の折り曲げ部位に、第１の接合板１２と第２の接合板１４との間のヒンジ構造２０が収納されるため、副板３４と狭面板４０との間でヒンジ構造２０の動作を妨げることがない。
【符号の説明】
【００３２】
１０  クッキングスタンド
１１  展開角度
１２  第１の接合板
１４  第２の接合板
１６  円孔
１８  長孔
２０  ヒンジ構造
２１  短管
２２  支持部
２３  ピン
２４  横面板
２６  可撓板
２８  枢着部
３０  広面板
３２  主板
３４  副板
３６  折り曲げ角度
４０  狭面板
４２  長辺
４４  短辺
４６  斜辺
５０  炭火プレート
【図１】
2018066544.tif 000003
【図２】
2018066544.tif 000004
【図３】
2018066544.tif 000005
【図４】
2018066544.tif 000006
【図５】
2018066544.tif 000007
【図６】
2018066544.tif 000008